(57)【特許請求の範囲】
【請求項１】
キャリア周期（T）毎にスイッチングを行うことにより入力を所定周波数、及び所定電圧の交流に変換して出力するインバータ回路（4）と、
前記スイッチングを制御して、インバータ出力の相電圧を６ステップモードとなるよう制御するとき、１８０度毎に訪れる相電圧が切替るタイミングにおいて、電圧誤差をなくすようにパルス電圧を出力するキャリア周期（T）を存在させる制御を行う制御部（5）と、
を備えたことを特徴とする電力変換装置。
【請求項２】
請求項１の電力変換装置において、
前記制御部（5）は、電圧ベクトルが整数回のキャリアで進む角度から計算した弦の長さが６つの基本電圧ベクトルからなる六角形の一辺の長さと等しくなるように、前記電圧ベクトルの大きさを決定することを特徴とする電力変換装置。
【請求項３】
請求項１の電力変換装置において、
前記制御部（5）は、キャリア周期（T）の開始時の電圧を示す第１電圧ベクトル（va）がキャリア周期（T）の終了時の電圧を示す第２電圧ベクトル（vb）まで変化する間に、相電圧が直流リンク電圧（Vdc）に切替る境界線、又は相電圧が０Ｖに切替る境界線の少なくともどちらか一方を通過した場合には、電圧ベクトルが直流リンク電圧（Vdc）又は０V一定となる区間（A,C）を通過した時間と、電圧ベクトルが直流リンク電圧（Vdc）と０Vの間で変化する区間（B）を通過した時間の電圧積算値から求めるキャリア周期（T）内の平均電圧に基づいて、前記パルス電圧の幅を決定することを特徴とする電力変換装置。
【発明の詳細な説明】
【技術分野】
【０００１】
本発明は、入力をスイッチングして所定周波数、及び所定電圧の交流に変換する電力変換装置に関するものである。
【背景技術】
【０００２】
従来より、インバータ回路を有した電力変換装置が知られている。インバータ回路は、スイッチング制御により、直流電力を可変周波数・可変電圧の交流電力に高効率変換する回路である。
【０００３】
このような電力変換装置には、相電圧をいわゆる６ステップモードとするものがある。６ステップモードでは、１８０度毎に最大電圧（Ｖｄｃ）と最小電圧（０Ｖ）を交互に切替える。しかし、キャリア周期毎にスイッチングするインバータ回路では、キャリア周期内では電圧切替のタイミングを調整することが出来ないため、１８０度周期でずれなく電圧を切替えることが出来ない。よって、キャリア周期で制限される切替タイミングで電圧の切替を行うとその分だけ電圧誤差が生じる（１８０度毎に均等にＶｄｃと０Ｖを切替えたいが、Ｖｄｃと０Ｖの出力割合が異なり、それがアンバランスになる）。そのため、電力変換装置のなかには、キャリア周期を出力電圧の周期の整数分の１にしてキャリア信号と出力電圧とを同期させるようにしたものがある（例えば特許文献１を参照）。
【先行技術文献】
【特許文献】
【０００４】
【特許文献１】特許第４２０５１５７号
【発明の概要】
【発明が解決しようとする課題】
【０００５】
しかしながら、特許文献１の例では、キャリア周期を変化させる必要があるので、制御が複雑化するという問題がある。
【０００６】
本発明は前記の問題に着目してなされたものであり、過変調制御時の出力電圧の誤差を、より容易に低減できるようにすることを目的としている。
【課題を解決するための手段】
【０００７】
前記の課題を解決するため、第１の発明は、
キャリア周期（T）毎にスイッチングを行うことにより入力を所定周波数、及び所定電圧の交流に変換して出力するインバータ回路（4）と、
前記スイッチングを制御して、インバータ出力の相電圧を６ステップモードとなるよう制御するとき、１８０度毎に訪れる相電圧が切替るタイミングにおいて、電圧誤差をなくすようにパルス電圧を出力するキャリア周期（T）を存在させる制御を行う制御部（5）と、
を備えたことを特徴とする。
【０００８】
この構成では、パルス電圧の挿入により出力電圧が調整され、出力電圧の誤差を無くすことが出来る。出力電圧の調整幅は、挿入するパルス電圧のパルス幅で決定できる。
【０００９】
また、第２の発明は、
第１の発明の電力変換装置において、
前記制御部（5）は、電圧ベクトルが整数回のキャリアで進む角度から計算した弦の長さが６つの基本電圧ベクトルからなる六角形の一辺の長さと等しくなるように、前記電圧ベクトルの大きさを決定することを特徴とする。
【００１０】
この構成では、上記のように電圧ベクトル（v）の大きさを決定することで、出力誤差がキャンセルされる。
【００１１】
また、第３の発明は、
第１の発明の電力変換装置において、
前記制御部（5）は、キャリア周期（T）の開始時の電圧を示す第１電圧ベクトル（va）がキャリア周期（T）の終了時の電圧を示す第２電圧ベクトル（vb）まで変化する間に、相電圧が直流リンク電圧（Vdc）に切替る境界線、又は相電圧が０Ｖに切替る境界線の少なくともどちらか一方を通過した場合には、電圧ベクトルが直流リンク電圧（Vdc）又は０V一定となる区間（A,C）を通過した時間と、電圧ベクトルが直流リンク電圧（Vdc）と０Vの間で変化する区間（B）を通過した時間の電圧積算値から求めるキャリア周期（T）内の平均電圧に基づいて、前記パルス電圧の幅を決定することを特徴とする。
【００１２】
この構成では、出力電圧が前記平均電圧に制御されるため、出力電圧に誤差が生じない。
【発明の効果】
【００１３】
第１の発明によれば、パルス電圧の挿入で電圧調整を行うので、容易な制御で出力電圧誤差の修正ができる。
【００１４】
また、第２の発明、及び第３の発明ではそれぞれ、容易な演算で電圧ベクトル（v）を求めることができる。それゆえ出力電圧誤差を容易に低減できる。
【図面の簡単な説明】
【００１５】
【図１】図１は、本発明の実施形態１に係る電力変換装置の構成を示すブロック図である。
【図２】図２は、インバータ回路の空間電圧ベクトル図である。
【図３】図３は、インバータ回路におけるスイッチング波形を示す図である。
【図４】図４は、従来の過変調制御における出力電圧誤差を説明する図である。
【図５】図５は、実施形態１における電圧ベクトルの決定方法を説明する図である。
【図６】図６は、実施形態２における電圧ベクトルの決定方法を説明する図である。
【図７】図７は、従来の過変調制御における出力電圧誤差を説明する図である。
【図８】図８は、実施形態２における制御部における電圧ベクトルの決定動作を説明するフローチャートである。
【発明を実施するための形態】
【００１６】
以下、本発明の実施形態について図面を参照しながら説明する。なお、以下の実施形態は、本質的に好ましい例示であって、本発明、その適用物、あるいはその用途の範囲を制限することを意図するものではない。
【００１７】
《発明の実施形態１》
〈全体構成〉
図１は、本発明の実施形態１に係る電力変換装置（1）の構成を示すブロック図である。同図に示すように電力変換装置（1）は、コンバータ回路（2）、直流リンク部（3）、インバータ回路（4）、及び制御部（5）を備え、三相交流電源（6）から供給された交流の電力を所定の周波数の電力に変換して、モータ（7）に供給するようになっている。なお、本実施形態のモータ（7）は、永久磁石同期電動機であってもよいし、リラクタンス同期電動機、誘導電動機、など空間ベクトル変調を行えるモータならよい。モータ（7）は、例えば空気調和機の冷媒回路に設けられた圧縮機を駆動する。
【００１８】
〈コンバータ回路（2）〉
コンバータ回路（2）は、三相交流電源（6）に接続され、三相交流電源（6）が出力した三相交流を全波整流する。この例では、コンバータ回路（2）は、複数（本実施形態では６つ）のダイオード（D1〜D6）がブリッジ状に結線されたダイオードブリッジ回路である。なお、直流リンク部（3）に整流された電圧を供給できるなら、コンバータ回路（2）の相数、整流方式は限定しない。
【００１９】
〈直流リンク部（3）〉
直流リンク部（3）は、コンデンサ（3a）を備えている。コンデンサ（3a）は、コンバータ回路（2）の出力ノードにリアクトル（L1）を介して並列接続されている。このコンデンサ（3a）は、インバータ回路（4）の入力ノード間に接続され、該コンデンサ（3a）の両端に生じた直流電圧（直流リンク電圧（Vdc））が、インバータ回路（4）に印加されている。コンデンサ（3a）は、例えば電解コンデンサによって構成する。
【００２０】
〈インバータ回路（4）〉
インバータ回路（4）は、直流リンク部（3）の出力をスイッチングして三相交流に変換し、接続されたモータ（7）に供給するようになっている。インバータ回路（4）は、複数のスイッチング素子がブリッジ結線されて構成されている。スイッチング素子（S）は、ＩＧＢＴ（Insulated-gate bipolar transistor）で構成されている。勿論、スイッチング素子（S）は、例えばＦＥＴ（Field effect transistor）等の他の種類の半導体素子で構成してもよい。
【００２１】
このインバータ回路（4）は、三相交流をモータ（7）に出力するので、６個のスイッチング素子（S）を備えている。詳しくは、インバータ回路（4）は、２つのスイッチング素子を互いに直列接続してなる３つのスイッチングレグを備え、各スイッチングレグにおいて上アームのスイッチング素子（S）と下アームのスイッチング素子（S）との中点が、それぞれモータ（7）の各相のコイル（図示は省略）に接続されている。
【００２２】
また、各スイッチング素子（S）には、還流ダイオード（D）が逆並列に接続されている。インバータ回路（4）は、これらのスイッチング素子（S）のオンオフ動作によって、直流リンク部（3）から入力された直流リンク電圧（Vdc）をスイッチングして三相交流電圧に変換する。なお、このオンオフ動作の制御は、制御部（5）が行う。
【００２３】
〈制御部（5）〉
制御部（5）は、マイクロコンピュータとそれを動作させるプログラムを含み、キャリア周期（T）毎にＰＷＭ変調を行い前記スイッチングを制御している。インバータ回路（4）の相電圧一次成分（以下、基本波成分ともいう）の振幅を、正弦波駆動で駆動できる最大振幅よりも大きくしたい場合には、過変調制御（後述）を用いる。過変調制御で出力出来る最大の相電圧を出力している状態が６ステップモードと呼ばれる相電圧が１８０度毎に切替る状態となる。
【００２４】
制御部（5）は、空間ベクトル変調によってインバータ回路（4）におけるスイッチングを制御する。図２は、インバータ回路（4）の空間電圧ベクトル図である。図２の矢印は、３相交流を出力するインバータ回路の基本電圧ベクトルを示している。各基本電圧ベクトルは、上アームの何れのスイッチング素子（S）をオンにするかを示している。例えば、ベクトル（１００）は上アームではＵ相のスイッチング素子（S）のみをオンにすることを示している。３相インバータ回路のＰＷＭ制御では、図２の六角形の各頂点に向かう６つの基本電圧ベクトル、及び、大きさを持たない２つのゼロベクトル（０００）、（１１１）の合計８つの基本電圧ベクトルのそれぞれに対応する８つのスイッチング状態を切替えて、所望の電圧及び位相の交流を出力する。
【００２５】
一方、本実施形態における過変調制御は、インバータ回路（4）の出力が、キャリア１周期（T）を通して、全相ハイ、或いは全相ローのパターンが現れない状態に制御する制御をいう。過変調制御では、相電圧の１８０度区間において、数キャリア周期連続して、所定のスイッチング素子（S）をオン或いはオフ状態に固定する。これにより、前記基本波成分を正弦波駆動時よりも高くすることが可能になる。所定のスイッチング素子（S）を相電圧の１８０度区間オン状態に固定して、次の１８０度区間ではオフ状態に固定することを交互に繰り返すと過変調制御で出力を最大に出来る状態となり、いわゆる６ステップモードと呼ばれる状態になる。
【００２６】
本実施形態の制御部（5）は、過変調制御では、インバータ回路（4）の空間電圧ベクトル図において、６つの基本電圧ベクトルで構成される六角形の辺の長さと、電圧ベクトルが整数回のキャリアで進む角度から計算した弦の長さが等しくなるように、電圧ベクトルの大きさを決定する。そして、その電圧ベクトルに基づいて、インバータ回路（4）の出力に所定幅のパルス電圧(以下、調整パルスともいう)が挿入されるように、インバータ回路（4）の制御を行う。図３は、インバータ回路（4）におけるスイッチング波形を示す図である。図３では、上段から、（ａ）正弦波駆動時の相電圧波形、（ｂ）過変調制御時の相電圧波形、  （ｃ）過変調制御で出力出来る最大の相電圧波形（示すのは理想波形。６ステップモードと呼ぶ）、（ｄ）６ステップモードにおいてキャリア周期の時間制約で１８０度の切替りタイミングがずれた場合の波形、（ｅ）本実施形態における波形（１８０度区間の切替り時に調整パルスを挿入して（ｄ）の波形で発生していた電圧誤差を無くした波形）をそれぞれ例示している。なお、（ａ）（ｂ）の波形では、相電圧（矩形波）とともに、相電圧の基本波成分（サイン波）を図示してある。
【００２７】
６ステップモードで動作した場合には１８０度区間の切替りタイミングがキャリア周期に依存するので、同図（ｄ）に示すように、理想的波形とは電圧切り換わりタイミングにずれを生じ、そのずれが出力電圧の誤差となる。本実施形態では、以下の考え方に基づいて電圧ベクトル（v）を決定し、その電圧ベクトル（v）に応じて調整パルスを挿入し出力電圧の誤差を低減する。図４は、従来の過変調制御における出力電圧誤差を説明する図である。図４は、図２の空間電圧ベクトル図の一部を抜き出したものであり、図４の右側部分は、電圧ベクトル等を直線の時間軸（以下、時間軸直線と呼ぶ）に投影して表示したものである。また、電圧ベクトルの末尾に記載したＮ、Ｎ＋１、Ｎ＋２は、電圧ベクトルの時系列を示すものである。
【００２８】
従来の過変調制御では、例えば、キャリア周期の中間点における電圧ベクトルに基づいてスイッチングが行われることがある。そうすると、図４の時間軸直線に示したように、本来の出力電圧からずれを生ずることになる。図４の例では、相電圧がゼロから直流リンク電圧（Vdc）の間で変化する区間（同図の区間（B）を参照）において、斜線部（斜線のピッチが狭い方のハッチング）で示される電圧が誤差電圧であり、同図上側の斜線部の面積分だけ出力電圧が高くなり、同図下側の斜線部の面積分だけ出力電圧が低くなる。そして、これらの斜線部の面積（すなわち誤差電圧）は、互いに異なっているので、１８０度区間毎に区切られた出力電圧の大きさにアンバランスが生じる（同図でいうと、区間（B）の中心が本来１８０度の切替りポイントになるので、区間（B）を中心に上側の電圧と下側の電圧が等しくないと電圧アンバランスが生じる。図で示すように区間（B）を中心に上側と下側で誤差の出方が違っているのでそれが誤差電圧になっている）。このような状態では、１８０度区間切替りのタイミング毎に異なった誤差が生じ、その誤差はキャリア周波数と電圧ベクトルの回転周波数の関係で決まった周期の誤差になる。これが出力電圧のビートとなり、電流のビートに繋がる。電流のビートは実効値の増大を招き、延いては損失を増大させる可能性がある。
【００２９】
図５は、実施形態１における電圧ベクトル（v）の決定方法を説明する図である。同図は過変調制御時の電圧ベクトルを示している。電圧ベクトル（v）の大きさをＬとした場合は、次の条件式（１）
ｎ×θｃ×Ｌ＝１／３×π×Ｖｄｃ  ・・・条件式（１）
（ただし、ｎ：正の整数、θｃ：電圧ベクトルが１キャリア周期（T）の間に進む角度、Ｖｄｃ：直流リンク電圧）
が成り立つときには、電圧ベクトル（v）がｎキャリア周期の間に進む円弧の長さと、図２で示した基本電圧ベクトル６０度分の円弧の長さ（図５では区間（B）の基本電圧ベクトルからなる円弧の長さ）が同じ大きさになる。そのため、このＬで電圧ベクトル（v）をコントロールすると誤差がキャンセルされる。図５に示すように、０Ｖ側で出力電圧が低くなり（０Ｖ側の電圧が大きくなる）、且つＶｄｃ側で電圧が高くなる（すなわち、Ｖｄｃ側の電圧が大きくなる）。そして、０Ｖ側とＶｄｃ側の電圧が同じ大きさで大きくなっている。つまり、共に同じ大きさで電圧が大きくなるため電圧のアンバランスがなくなる。
【００３０】
なお、条件式（１）については、電圧ベクトルの軌道を円弧で計算しているが、区間（B）では電圧を直線的に調整できるので本来は直線で考えるべきである。そのため、
２×Ｌ×ｓｉｎ（ｎ×θｃ／２）＝２×Ｖｄｃ×ｓｉｎ３０°  ・・・条件式（２）
が本来の条件式となる。ただし、近似的には、条件式（１）を利用しても差し支えない。
【００３１】
〈電力変換装置（1）の動作〉
正弦波駆動状態における動作は、一般的なインバータ回路と同様である。一方、過変調制御時は、制御部（5）が前記条件式（条件式（１）、（２）の何れか）を用いて電圧ベクトル（v）を決定する。電圧ベクトル（v）が決定されると、スイッチング素子（S）のオン時間が定まり、制御部（5）は、該オン時間に基づいて挿入する調整パルスのパルス幅を決定する。
【００３２】
これにより、本実施形態では、過変調制御時の出力電圧のアンバランスが解消し、出力電圧誤差が低減する。そして、この電圧ベクトル（v）の大きさの制御は、例えばキャリア周期を変える従来例と比べ容易な制御で実現できる。
【００３３】
《発明の実施形態２》
実施形態２の電力変換装置（1）は、制御部（5）における過変調制御時の電圧ベクトル（v）の決定方法が実施形態1とは異なる。図６は、実施形態２における電圧ベクトル（v）の決定方法を説明する図である。図６の右側部分は、Ｕ相の電圧ベクトル等を時間軸直線に投影して表示したものである。
【００３４】
図７は、従来の過変調制御における出力電圧誤差を説明する図である。図７では、１つのキャリア周期（T）における電圧ベクトル（v）の軌跡が、Ｕ相電圧（vu）がゼロから直流リンク電圧（Vdc）の間で変化する領域と、それ以外の領域に跨る場合の誤差を示している。
【００３５】
キャリア周期（T）の開始時の電圧ベクトルを第１電圧ベクトル（va）、キャリア周期（T）の終了時の電圧ベクトルを電圧ベクトル（vb）とすると、図７に示すように、電圧ベクトル（va）と電圧ベクトル（vb）がキャリア周期（T）内で区間（A）、（B）、（C）の何れかを跨いだ場合に、キャリア周期（T）の中間点における電圧ベクトルに基づいてスイッチングを行うと、同図の黒丸で示す電圧がキャリア周期（T）内の平均電圧と等しくならない。これにより、インバータ回路（4）は、同図に示した斜線部の誤差電圧分だけ電圧を大きく出しすぎてしまう。なお、図６等の時間軸直線において、区間（A）は、Ｕ相電圧（vu）が直流リンク電圧（Vdc）となる区間、区間（B）は、Ｕ相電圧（vu）がゼロから直流リンク電圧（Vdc）の間で変化する区間、区間（C）は、Ｕ相電圧（vu）がゼロとなる区間である。
【００３６】
本実施形態では、１つのキャリア周期（T）における電圧ベクトル（v）の軌跡が、相電圧がゼロから直流リンク電圧（Vdc）の間で変化する領域と、それ以外の領域に跨る場合に、１キャリア周期（T）中の平均電圧を求めて電圧ベクトル（v）を決定することで上記誤差電圧を低減する。本実施形態での平均電圧とは、図６に示すように、Ｕ相電圧（vu）の時間軸直線において、斜線で囲まれた部分の面積から求まる積分平均である。
【００３７】
例えば、Ｕ相についてみると、Ｕ相電圧（vu）がゼロから直流リンク電圧（Vdc）の間で変化するベクトル空間における領域をベクトル空間領域（BB）（時間軸直線の区間（B）が対応）とすると、制御部（5）は、第１電圧ベクトル（va）の終点、及び第２電圧ベクトル（vb）の終点の間にベクトル空間領（BB）と該ベクトル空間領域（BB）以外の領域の境界線が少なくとも１つ存在する場合には、Ｕ相電圧が、１キャリア周期（T）の中で、Ｖｄｃまたは０Ｖ一定となる区間（区間（A）と区間（C））を通過した時間と、相電圧がＶｄｃと０Ｖの間で変化する区間（区間（B））を通過した時間の電圧積算値から求めるキャリア周期内の平均電圧に基づいて、電圧ベクトルを求める。なお、本実施形態の制御部（5）は、以下の３つの条件（１）〜（３）の成否を確認し、いずれかの条件が成立した場合に、前記平均電圧に基づいて電圧ベクトル（v）を求める。
【００３８】
条件（１）：第１電圧ベクトル（va）の終点が区間（A）に存在し、且つ第２電圧ベクトル（vb）の終点が区間（B）又は区間（C）に存在する場合。
【００３９】
条件（２）：第１電圧ベクトル（va）の終点が区間（B）に存在し、且つ第２電圧ベクトル（vb）の終点が区間（A）又は区間（C）に存在する場合。
【００４０】
条件（３）：第１電圧ベクトル（va）の終点が区間（C）に存在し、且つ第２電圧ベクトル（vb）の終点が区間（A）又は区間（B）に存在する場合。
【００４１】
なお、前記３つの条件（１）〜（３）が成立しない場合は、制御部（5）は、キャリア周期（T）の中間点における電圧ベクトル（v）を求める。
【００４２】
〈電力変換装置（1）の動作〉
図８は、制御部（5）における電圧ベクトル（v）の決定動作を説明するフローチャートである。制御部（5）は、ステップ（S01）からステップ（S06）の動作により、電圧ベクトル（v）を決定する。
【００４３】
まず、ステップ（S01）では、制御部（5）は、インバータ回路（4）が出力すべき電圧の大きさから、過変調制御かそうでないかを判断する。出力すべき電圧の基本波成分の振幅が直流リンク電圧（Vdc）の１／２よりも小さい場合は、過変調制御ではないと判断し、制御部（5）は、ステップ（S03）の処理に移行する。ステップ（S03）では、制御部（5）は、キャリア周期（T）の中間点における出力電圧から電圧ベクトル（v）を求め、該電圧ベクトル（v）に応じ、インバータ回路（4）のスイッチング状態を決定する。
【００４４】
一方、制御部（5）は、出力すべき電圧の基本波成分の振幅が直流リンク電圧（Vdc）の１／２よりも大きい場合には、過変調制御と判断する。過変調制御時には、制御部（5）は、ステップ（S02）の処理に移行する。ステップ（S02）では、キャリア周期（T）の開始時に出力すべき電圧に対応した第１電圧ベクトル（va）と、キャリア周期（T）の終了時に出力すべき電圧に対応した第２電圧ベクトル（vb）を求め、ステップ（S04）の処理に移行する。ステップ（S04）では、前記条件（１）〜（３）が成立するか否かを調べる。前記条件（１）〜（３）の何れかが成立した場合には、ステップ（S05）の処理に移行し、何れも成立しなかった場合にはステップ（S06）の処理に移行する。ステップ（S06）の処理に移行した場合には、ステップ（S03）と同様に、キャリア周期（T）の中間点において出力すべき電圧から電圧ベクトル（v）を求め、該電圧ベクトル（v）に応じ、インバータ回路（4）のスイッチング状態を決定する。
【００４５】
一方、制御部（5）の処理がステップ（S05）に移行するのは、１つのキャリア周期（T）における電圧ベクトル（v）の軌跡が、ベクトル空間領域（BB）と該ベクトル空間領域（BB）以外の領域の境界線の少なくとも１つを跨ぐ場合である。この場合には、例えば、ステップ（S03）のように、キャリア周期（T）の中間点において出力すべき電圧から電圧ベクトル（v）を求めたとすれば、実際に出力すべき電圧とは異なる電圧がインバータ回路（4）から出力されることになる（図７参照）。
【００４６】
これに対し、本実施形態では、ステップ（S05）において、１キャリア周期（T）の中で、Ｖｄｃまたは０Ｖ一定となる区間（区間（A）と区間（C））を通過した時間と、相電圧がＶｄｃと０Ｖの間で変化する区間（区間（B））を通過した時間の電圧積算値からキャリア周期内の平均電圧を求める。そして、該平均電圧に基づいて、挿入する前記調整パルスの幅を決定する。このように、平均電圧を用いて電圧ベクトル（v）を決定することで、インバータ回路（4）の出力電圧の誤差が低減し、キャリア周期（T）の中間点において出力すべき電圧から電圧ベクトル（v）を求める場合と比べ、出力電圧の誤差をより小さくすることが可能になる。そして、この平均電圧による制御は、例えばキャリア周期を変える従来例と比べ容易な制御で実現できる。
【産業上の利用可能性】
【００４７】
本発明は、入力をスイッチングして所定周波数、及び所定電圧の交流に変換する電力変換装置として有用である。
【符号の説明】
【００４８】
１      電力変換装置
４      インバータ回路
５      制御部
【図１】
0005929080.tif 000002
【図２】
0005929080.tif 000003
【図３】
0005929080.tif 000004
【図４】
0005929080.tif 000005
【図５】
0005929080.tif 000006
【図６】
0005929080.tif 000007
【図７】
0005929080.tif 000008
【図８】
0005929080.tif 000009